(57)【要約】【課題】大きな振幅の揺れにも耐えられて、横揺れを伴う地震でも設置物の転倒を防止できるような転倒防止効果が高い転倒防止具で、設置が容易な転倒防止具を提供すること。【解決手段】設置物の下角部にくさび状に差し込んで設置物の転倒を防止するための器具であり、一定幅を有し平面視略Ｌ字型に屈折した帯を有し、前記帯が、前記Ｌ字型の外側から内側に向かって、前記帯の幅方向に厚みが徐々に薄くなる傾斜面を有するものであって、さらに、前記帯が、底面及び／又は前記傾斜面に１又は複数の突起を、前記帯の長手方向と平行に設けてある構成とすること。【選択図】図１
0003132603.tif 000002
【実用新案登録請求の範囲】
【請求項１】
設置物の下角部にくさび状に差し込んで設置物の転倒を防止するための器具であり、一定幅を有し平面視略Ｌ字型に屈折した帯を有し、前記帯が、前記Ｌ字型の外側から内側に向かって、前記帯の幅方向に厚みが徐々に薄くなる傾斜面を有することを特徴とする転倒防止具。
【請求項２】
さらに、前記帯が、底面及び／又は前記傾斜面に１又は複数の突起を、前記帯の長手方向と平行に設けてあることを特徴とする請求項１記載の転倒防止具。
【考案の詳細な説明】
【技術分野】
【０００１】
本考案は、地震等の揺れにより設置物が転倒するのを防止する転倒防止具に関する。
【背景技術】
【０００２】
従来、転倒防止具には、突っ張り棒、天井固定用補助家具、ネジ止めベルト、スチール製Ｌ型金具、免振パッドや粘着パッド、家具安定板等がある（例えば、特許文献１参照）。
【特許文献１】特開２００５−２２４５６２号公報（０００４段落）
【考案の開示】
【考案が解決しようとする課題】
【０００３】
しかし、上記のような従来の転倒防止具では、転倒防止効果が低い、設置が容易でない、横揺れに弱い等の問題があった。
【０００４】
例えば、天井と家具との間に取り付ける突っ張り棒方式の転倒防止具では、設置する場所の天井板が弱いと地震等の揺れで家具が転倒するという問題があった。また、横揺れからに滑り出し転倒に弱いという問題があった。ネジ止めベルトやスチール製Ｌ型金具では、設置が容易でなく、また、壁、柱、床、家具等に釘、ネジ、ボルト等により穴や傷がつくという問題があった。粘着パッドでは、設置面に埃や汚れが付着すると剥がれが生じたり密着性が低下したりするという問題があった。また、家具安定板では、すべりやすく転倒防止効果が低いという問題があった。
【０００５】
免振パッドには、プラスチック製やゴム製のブロック状のものがあるが、プラスチック製では家具が滑りやすく、ゴム製でも大きな振幅の揺れには耐えられず、また横揺れに弱いという問題があった。
【０００６】
したがって、本発明の目的は、横揺れを伴う地震でも設置物の転倒を防止できる転倒防止具を提供することにある。
【課題を解決するための手段】
【０００７】
上記目的を達成するため、本考案は、次のように構成したものである。
【０００８】
本考案の第１の態様は、上記目的を達成するため、設置物の下角部にくさび状に差し込んで設置物の転倒を防止するための器具であり、一定幅を有し平面視略Ｌ字型に屈折した帯を有し、前記帯が、前記Ｌ字型の外側から内側に向かって、前記帯の幅方向に厚みが徐々に薄くなる傾斜面を有することを特徴とする転倒防止具を提供するものである。
【０００９】
設置物には、家具、電気製品等を含む。家具には、和ダンス、洋ダンス、茶ダンス、食器棚、スチール棚、ロッカー、机、本箱、書類ケース、人形ケース等を含む。電気製品には、テレビ、冷蔵庫、コンピュータ、ステレオスピーカー、自動販売機等を含む。
【００１０】
上記第１の態様によれば、壁に近接させた設置物の前面側の底面の角に差し込むと、傾斜面を有するために上に載せた設置物が壁側にやや傾斜し、壁に寄りかかって安定する。したがって、設置物のずれ移動を防止でき、転倒を防止できる。
【００１１】
さらに、前記帯が、底面及び／又は前記傾斜面に１又は複数の突起を、前記帯の長手方向と平行に設けてある構成としてもよい。突起の先端は尖っていることが好ましいが、丸くてもよい。
【００１２】
なお、材料は、弾性体であることが望ましい。例えば、軟質プラスチックやゴム等が好ましいが、他の樹脂等であってもよい。
【００１３】
なお、傾斜面は、大きい設置物に使っても小さい設置物に使っても高い安定性を得るためには、底面に対し、傾斜角が３度以上２０度以下であることが好ましく、１０度前後がより好ましい。
【考案の効果】
【００１４】
本考案の転倒防止具は、上述したとおりであるので、横揺れを伴う地震でも設置物の転倒を防止できる。
【考案を実施するための最良の形態】
【００１５】
以下に、添付した図面を参照しながら、本考案の好適な実施例の構成及び作用を詳細に説明する。
【実施例１】
【００１６】
（構成）
図１は、本発明の実施例１に係る転倒防止具の斜視図である。図２は、本発明の実施例に係る転倒防止具の断面拡大図である。図２は、図１に示した転倒防止具のＡ−Ａ´線断面拡大図である。
【００１７】
本実施例の転倒防止具１は、設置物の下角部にくさび状に差し込んで設置物の転倒を防止するための器具であり、一定幅を有し平面視略Ｌ字型の屈折した帯状の転倒防止具である。本実施例の転倒防止具１は、該Ｌ字型の外側から内側に向かって、前記帯の幅方向に厚みが徐々に薄くなる傾斜面２を有する。傾斜角度は、本実施例では、約１０度である。Ｌ字の最も外側の外縁部に沿って、厚みが傾斜面より少し高くなっている突起状のストッパー部３がある。Ｌ字の最も内側は、先端部４で、厚みは先端部４に向かってテーパー状に薄くなっている。傾斜面２には、表面摩擦突起部５が複数設けられ、転倒防止具１の裏面には裏面摩擦突起部６が全面に設けられている。表面摩擦突起部５及び裏面摩擦突起部６は、帯の長手方向と平行に設けられている。本実施例の転倒防止具１は、ゴム製で、突起の先端は尖っている。
【００１８】
（使用方法）
本実施例の転倒防止具１は、設置物と、設置物を載置する床や台等の載置面との間に挟み込んで使用するものであり、例えば、背面側に壁に近接させた家具等の設置物の前面側の底面の角に、１箇所に１つずつ差し込んで用いる。図３は、本考案の実施例１に係る転倒防止具の取付例を示す図である。図３は、本実施例の転倒防止具１を取り付けた設置物７を底面側から見た図である。設置物７の前面及び側面が、転倒防止具１のストッパー部３の内側の面に沿うように、設置物を少し後方に倒して挟み込む。本実施例は、傾斜面を有するため設置物が壁側にやや傾斜し、壁に寄りかかって安定する。
【００１９】
（作用）
地震等の揺れが発生したとき、固定していない設置物が転倒するのは、設置物が振動により動くからであり、特に背の高い家具や冷蔵庫等では、前後又は左右に揺れながら移動してしまうロッキング移動が見られる。
【００２０】
本実施例は、Ｌ字型であるため、設置物の前後のみならず、左右の揺れに対しても応力緩和効果が高く、設置物のずれ移動を防止する。よって、設置物の動き出しを抑止し、したがって転倒を防止する。
【００２１】
また、本実施例では、突起により上に載せた設置物との間の摩擦力が増加する。本実施例では底面及び傾斜面の両方に複数ラインの突起を設けてあるので、摩擦力は飛躍的に増加し、設置物のずれ移動を防止でき、転倒を防止できる。床材が、板、ビニルタイル、畳、カーペットやじゅうたん、コンクリート等でも強力にグリップし、設置物のずれ移動を防止でき、転倒を防止できる。
【００２２】
さらに、本実施例では、突起の先端が尖っているため、特に床材がたたみやじゅうたん等柔らかいものであった場合に、床材に食い込んでアンカー効果により、より設置物のずれ移動を防止でき、転倒を防止できる。
【００２３】
また、本実施例では、材質がゴムであるため、樹脂より変形しやすく、したがって設置物や床のとの密着性が高く、特に床材がたたみやじゅうたんであった場合、密着性が樹脂の数倍となり、より転倒防止効果が高い。また、ゴム製では塩化ビニル等の樹脂製のものより摩擦係数が１．５倍であり、より動き出し防止効果が高い。
【００２４】
（実験結果）
地震体験車内に本棚を壁付近に置き、本実施例を本棚の前面側の底面の角１箇所に１つずつ差し込んで挟みこみ、震度６強で転倒テストをしたところ、転倒せず、また、動き出すこともなかった。一方、本実施例を挟み込まないものでは、激しく動き、揺れながら転倒した。本実施例では、転倒抑止効果のみならず、転倒防止効果を有する。本実施例によれば、震度７においても設置物を転倒させないことができた。
【００２５】
（効果）
この実施例１によれば、Ｌ字型であるため、設置物のずれ移動を防止でき、横揺れを伴う地震でも設置物の転倒を防止できる。また、突起があるため、設置物のずれ移動防止効果が高まり、転倒防止効果が高い。
【００２６】
また、本実施例は、Ｌ字型であるため、前後の揺れと左右の揺れに対応するには、少なくとも設置物の前面、左側面、右側面の３方向に設置しなければならないＩ字型に比べ、前面の左右の角に挟み込むだけで済むので、コストも削減でき、設置に係る時間も短く、容易である。
【００２７】
また、粘着剤や接着剤、釘、ネジ、ボルト等を用いず、設置物の下に挟み込むだけですむので、設置が容易である。また、床材や壁、柱、設置物に穴や傷をつけたり付着物を残したりすることなく、容易に着脱可能である。
【００２８】
なお、２個の実施例１とともに、同じ傾斜面と突起を有しＩ字型で帯状の転倒防止具を１又は複数、組み合わせて使用することができる。設置物が大きい場合には、設置物の前面側の底面の角にそれぞれ本考案の実施例１を差し込むとともに、Ｉ字型の転倒防止具を設置物の前面底部に差し込むと、より安定性が増し、転倒を防止できる。
【００２９】
以上、本考案の好適な実施例について説明したが、本考案は、かかる実施形態に限定されず、その考案の趣旨を逸脱しない範囲で種々と偏見実施が可能である。当業者であれば、実用新案登録請求の範囲に記載された技術的思想の範囲内において、各種の変更例又は修正例に想到しうることは明らかであり、それらについても当然に本考案の技術的範囲に属するものと了解される。
【００３０】
例えば、上記実施例では、底面及び傾斜面に先端が尖った突起を複数有するものを挙げたが、突起の形状、突起数、突起を設ける面については、これに限られない。
【００３１】
上記実施例では、傾斜角が約１０度のものを挙げたが、角度は、これに限られない。また、上記実施例では、材質がゴム製のものを挙げたが、材質は、これに限られない。
【図面の簡単な説明】
【００３２】
【図１】本考案の実施例１に係る転倒防止具の斜視図である。
【図２】本考案の実施例に係る転倒防止具の断面拡大図である。
【図３】本実施例の転倒防止具１を取り付けた設置物７を底面側から見た図である。
【符号の説明】
【００３３】
１  転倒防止具
２  傾斜面
３  ストッパー部
４  先端部
５  表面摩擦突起部
６  裏面摩擦突起部
７  設置物
【図１】
0003132603.tif 000003
【図３】
0003132603.tif 000004
【図２】
0003132603.tif 000005